(57)【要約】【課題】過剰な冗長構成を採ることなく救済できないパスが削減でき、高速な切り替えが実現できるノード装置を得ること。【解決手段】ある現用パス（現用ｂ）に障害が発生した場合は、現用パス（現用ｂ）を予備パス（予備ａ）に切り替える。その結果、予備パス（予備ａ）が現用パス（現用ｂ）に占有され、予備パスがなくなる。そこで、シグナリングをはしらせ、新たにリンクａ５を予備パスとして確保する。そして、障害が起きていない現用パスと現用ｂの信号が通っている予備ａとのＡＰＳ切替先を、シグナリングにより確保した予備パス（リンクａ５）に変更する。その後、障害が起きていたパス（現用ｂ）が復帰した場合は、予備パス（予備ａ）に回避させていたパスを元の現用パス（現用ｂ）に切り戻す。シグナリングにより確保した予備パス（リンクａ５）はパスを解放し、ＡＰＳ切替先を予備パス（予備ａ）に戻す。【選択図】      図１
2005012306.tif 000002
【特許請求の範囲】
【請求項１】
障害救済のために設けられる冗長構成における複数パスの１つに出力先に切り替えることができ、かつその切替先を内部回路等からの指示に従って変更できる冗長切替手段を備えるノード装置によって構成される通信ネットワークにおいて、
前記ノード装置は、
前記冗長切替手段が切替実行する切替先の設定を前記パスの設定状態に応じて変更し、かつパス毎に設定された切替先に変更する障害復旧制御手段、
を備えたことを特徴とするノード装置。
【請求項２】
前記障害復旧制御手段は、前記パス設定状態が複数の現用系に対し１本の予備系が確保されている１：ｎ構成である場合において、ある現用系に障害が発生し、予備系が占有された場合に、シグナリングにより新たな帯域を確保して予備系を新規に割り当てるとともに、その新たな予備系を前記冗長切替手段が切替実行する切替先に設定することを特徴とする請求項１に記載のノード装置。
【請求項３】
前記障害復旧制御手段は、前記パス設定状態が複数の現用系に対し１本の予備系が確保されている１：ｎ構成である場合において、ある現用系に障害が発生し、予備系が占有された場合に、ルーティングによりルート検索を行い確保したルートにおいてシグナリングを実施し新たな帯域を確保して予備系を新規に割り当てるとともに、その新たな予備系を前記冗長切替手段が切替実行する切替先に設定することを特徴とする請求項１または２に記載のノード装置。
【請求項４】
前記障害復旧制御手段は、障害が起きた現用系が復旧した場合に、切り戻しを行い、新たに確保した予備パスを開放して、元の予備系に前記冗長切替手段が切替実行する切替先を変更することを特徴とする請求項３に記載のノード装置。
【請求項５】
前記障害復旧制御手段は、予備系が使用されていない場合に使用することができるエクストラトラフィックに対して前記冗長切替手段を制御し、他に帯域があるときは回避先を確保してエクストラトラフィックを回避させ、その後に、現用系を予備系に切り替えさせることを特徴とする請求項２〜４のいずれか一つに記載のノード装置。
【発明の詳細な説明】
【０００１】
【発明の属する技術分野】
この発明は、光通信ネットワークにおいてパスの経路を切り替えるクロスコネクト装置や挿入・分離多重変換装置（ＡＤＭ：Ａｄｄ／Ｄｒｏｐ  Ｍｕｌｔｉｐｌｅｘｅｒ）などのノード装置に係り、特にノード装置が実現する障害復旧方式に関するものである。
【０００２】
【従来の技術】
従来、光通信ネットワークにおいては、信頼性、運用性を向上させるための障害復旧方式として、多重セクション切替方式やリング切替方式などが採用されている。これらの切替方式では、パスとして現用系と予備系を用意し、障害時には現用系から予備系に切り替え、障害を救済することができる。さらに、オペレーションシステムからの指示により、保守時など経路を変更する必要が生じた場合にも切り替えが行えるようになっている。以下、図５を参照して、従来のノード装置が実現していた障害復旧方式を説明する。
【０００３】
図５では、例えばＩＴＵ−Ｔ勧告Ｇ．７８３に基づく多重セクション切替方式（障害復旧方式）で用いる冗長構成を備える光通信ネットワークの構成が示されている。図５に示す光通信ネットワークでは、多重セクション切替方式で用いる冗長構成は、ノード装置１０１とノード装置１０２の間に、ｎ本の現用パス１０３と１本の予備パス１０４とを用意する１：ｎ構成となっている。現用パス１０３は、往路と復路にそれぞれｎ本設けられ、予備パス１０４は、往路と復路にそれぞれ１本の予備パスが設けられている。
【０００４】
障害が発生したときは、次のように復旧動作が行われる。例えば、往路現用パスｂに障害１１０が発生した場合を考える。受信側に予期せぬ信号を流さないために、切り替えは送信側から行われる。すなわち、まずノード装置１０１にて往路現用パスｂを予備パス１０４に切り替え、次にノード装置１０２にて往路現用パスｂを予備パス１０４に切り替える。そして、ノード装置１０２にて復路現用パスｂを予備パス１０４に切り替え、ノード装置１０１にて復路現用パスｂを予備パス１０４に切り替える。
【０００５】
このとき、切り替えるパスの指定は、オーバーヘッド情報内に設定されるＡＰＳ（Ａｕｔｏｍａｔｉｃ  Ｐｒｏｔｅｃｔｉｏｎ  Ｓｗｉｔｃｈｉｎｇ：自動保護切替）バイトを用いて伝達するようになっている。なお、通信網のバックボーンを形成するＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）では、ＡＰＳバイトとして、Ｋ１バイトとＫ２バイトが割り当てられている。
【０００６】
障害１１０を検出したノード装置１０２では、Ｋ１バイトとＫ２バイトを用いて、ノード装置１０１に対し現用パスｂが切り替えを要求していることを知らせる。切替要求を受信したノード装置１０１は、要求されたパスを救済するため、予備パス１０４に切り替えを行う。
【０００７】
【発明が解決しようとする課題】
しかしながら、従来の１：ｎ構成の障害復旧方式では、救済できるパスが１本しかないので、複数のパスに障害が起きた場合に、救済できない障害パスが生じる。すなわち、現用パスｂを予備パスに切り替えている状態で、現用パスａに障害が発生しても、その障害パスａを救済することができない。
【０００８】
その対策として、予備パスを増やすことは、信頼性を向上させることはできるが、ネットワーク全体の帯域使用率を低下させてしまうので好ましくない。また、障害が発生してから新たにルート検索を行い、回避できる帯域を確保して救済処置を採っていたのでは、復旧に時間を要してしまい、ＳＯＮＥＴ／ＳＤＨなどに要求される高速な復旧を行うことができない。
【０００９】
この発明は、上記に鑑みてなされたもので、過剰な冗長構成を採ることなく救済できないパスが削減でき、高速な切り替えが実現できるノード装置を得ることを目的とする。
【００１０】
【課題を解決するための手段】
上記目的を達成するため、この発明にかかるノード装置は、障害救済のために設けられる冗長構成における複数パスの１つに出力先に切り替えることができ、かつその切替先を内部回路等からの指示に従って変更できる冗長切替手段を備えるノード装置によって構成される通信ネットワークにおいて、前記ノード装置は、前記冗長切替手段が切替実行する切替先の設定を前記パスの設定状態に応じて変更し、かつパス毎に設定された切替先に変更する障害復旧制御手段を備えたことを特徴とする。
【００１１】
この発明によれば、冗長切替手段が切替実行する切替先の設定を、障害救済のために設けられる冗長構成における複数パスの設定状態に応じて変更し、かつパス毎に設定された切替先に変更することができる。具体的には、前記パス設定状態が複数の現用系に対し１本の予備系が確保されている１：ｎ構成である場合において、ある現用系に障害が発生し、予備系が占有された場合に、シグナリングにより新たな帯域を確保して予備系を新規に割り当てる、あるいは、ルーティングによりルート検索を行い確保したルートにおいてシグナリングを実施し新たな帯域を確保して予備系を新規に割り当てる。そして、その新たな予備系を前記冗長切替手段が切替実行する切替先に設定する。その後、障害が起きた現用系が復旧した場合には、切り戻しを行い、新たに確保した予備パスを開放して、元の予備系に前記冗長切替手段が切替実行する切替先を変更することができる。加えて、予備系が使用されていない場合に使用することができるエクストラトラフィックに対して前記冗長切替手段を制御し、他に帯域があるときは回避先を確保してエクストラトラフィックを回避させ、その後に、現用系を予備系に切り替えさせることができる。
【００１２】
【発明の実施の形態】
以下に添付図面を参照して、この発明にかかるノード装置の好適な実施の形態を詳細に説明する。
【００１３】
実施の形態１．
図１は、この発明の実施の形態１であるノード装置が実現する障害復旧方式で用いる冗長構成を備える光通信ネットワークの構成を示す図である。図１において、光通信ネットワークノード内に在る装置１とノード装置２との間には、往路と復路に、ｎ本の現用パス（現用ａ、現用ｂ、…、現用ｎ）３と、１本の予備パス（予備ａ）４とがそれぞれ張られている。すなわち、ｎ本の現用パスと１本の予備パス（予備ａ）を用いて１：ｎの冗長構成を形成している。
【００１４】
そして、この実施の形態１では、ノード装置１とノード装置２との間には、往路と復路に、パスとして使用されていない空き帯域のリンクとして１本のリンクａ５が存在するとしている。また、ノード装置１とノード装置２は、それぞれ、他のノード装置に接続されており、パスとして使用されていない空き帯域のリンクとして、往路と復路に、ノード装置１には、リンクｂ６が接続され、ノード装置２には、リンクｃ７が接続されているとしている。これらのリンクａ５，リンクｂ６およびリンク７ｃは、この実施の形態１において一定条件下に予備パスとして使用される。なお、パス及びリンクは全て双方向である。
【００１５】
ここで、ノード装置１，２の構成は、図示省略したが、図１に示すように、障害救済のために設けられる冗長構成における複数パスの１つに出力先に切り替えることができ、かつその切替先を制御部等からの指示に従って変更できる冗長切替部を備えるノード装置であって、冗長切替部はＡＰＳ切替部であり、多入力多出力のマトリックススイッチを備えている。このマトリックススイッチは、複数のセレクタを組み合わせて構成することもでき、光信号のまま切替を行うことができる光スイッチで構成することもできる。
【００１６】
また、制御部は、ＡＰＳ切替部が切替実行する切替先の設定をパス設定状態に応じて変更し、かつパス毎に設定された切替先に変更できるようになっている。具体的には、制御部は、図１に示すように、パス設定状態が複数の現用系に対し１本の予備系が確保されている１：ｎ構成である場合において、ある現用系に障害が発生し、予備系が占有された場合に、シグナリングにより新たな帯域を確保して予備系を新規に割り当てるとともに、その新たな予備系をＡＰＳ切替部が切替実行する切替先に設定する。
【００１７】
そして、制御部は、障害が起きた現用系が復旧した場合に、切り戻しを行い、新たに確保した予備パスを開放して、元の予備系にＡＰＳ切替部が切替実行する切替先を変更することができるようになっている。
【００１８】
これによって、この実施の形態１では、次のような障害復旧方式が実現できる。すなわち、ある現用パス（現用ｂ）に障害が発生した場合は、現用パス（現用ｂ）を予備パス（予備ａ）に切り替える。このとき、高速に切り替えを行うことと双方向パスの切り替えを行うことから、切り替えるパスの指定は、オーバーヘッド情報のＡＰＳバイトを用いて伝達する。ＳＯＮＥＴ／ＳＤＨでは、Ｋ１バイトとＫ２バイトを用いて、障害を検出したノード装置は、対向するノード装置に対し、現用パスが切り替えを要求していることを伝達する。切替要求を受信したノード装置は、要求されたパスを救済するため、予備パス（予備ａ）への切り替えを行う。
【００１９】
その結果、予備パス（予備ａ）が現用パス（現用ｂ）に占有されたため、予備パスがなくなってしまう。そこで、シグナリングをはしらせ、新たにリンクａ５を予備パスとして確保する。そして、障害が起きていない現用パスと現用ｂの信号が通っている予備ａとのＡＰＳ切替先を、シグナリングにより確保した予備パス（リンクａ５）に変更する。これによって、新たに別のパスに障害が起きた場合は、ＡＰＳ切替を用いた高速切替によって予備パス（リンクａ５）に回避させることができ、ネットワークの信頼性を向上させることができる。
【００２０】
また、先に障害が起きていたパス（現用ｂ）が復帰した場合は、予備パス（予備ａ）に回避させていたパスを元の現用パス（現用ｂ）に切り戻す。シグナリングにより確保した予備パス（リンクａ５）はパスを解放し、ＡＰＳ切替先を予備パス（予備ａ）に戻す。リンクａ５は空き帯域になり、別のパス設定要求に従い、現用パスや予備パスとして使用できるようになる。
【００２１】
以下、図２を参照して具体的に説明する。なお、図２は、図１に示すノード装置が実現する障害復旧方式を説明する切替シーケンス図である。図２において、手順Ｔ１〜手順Ｔ５は、冗長構成内でのＡＰＳ切替動作を示している。手順Ｔ６〜手順Ｔ９は、新たな予備系へのＡＰＳ切替設定を示している。手順Ｔ１０〜手順Ｔ１４は障害回復による切り戻し動作を示している。手順１５〜手順Ｔ１９は予備系の設定を元に戻し、手順Ｔ６〜手順Ｔ９で確保した予備系を解放する動作を示している。
【００２２】
往路の現用パス（現用ｂ）で障害１０が発生した場合、ノード装置２は障害１０を検出すると、ノード装置１に対し、Ｋ１バイトとＫ２バイトを用いて現用ｂの切替要求を送信する（手順Ｔ１）。ノード装置１では、往路の現用パス（現用ｂ）での送信を往路の予備パス（予備ａ）に切り替える（手順Ｔ２）。これを受けて、ノード装置２では、往路の現用パス（現用ｂ）での受信を往路の予備パス（予備ａ）に切り替え（手順Ｔ３）、復路の現用パス（現用ｂ）での送信を復路の予備パス（予備ａ）に切り替える（手順Ｔ４）。そして、ノード装置１では、復路の現用パス（現用ｂ）での受信を復路の予備パス（予備ａ）に切り替える（手順Ｔ５）。このようにして冗長構成内でのＡＰＳ切替が行われる。
【００２３】
次に、ノード装置１では、予備系がなくなってしまったので、新たな予備系を確保すべく、リンクａ５に対してパス設定要求を行う（手順Ｔ６）。そして、ノード装置１は、ノード装置２の応答（Ａｃｋ）１１を受けてパスが確立されたことを認識すると、ＡＰＳ切替先をリンクａ５にすることを送信する（手順Ｔ７）。ノード装置２は、応答（Ａｃｋ）１２を返すとともにＡＰＳ切替先をリンクａ５にするための設定変更を行う（手順Ｔ８）。ノード装置１は、ノード装置２からの応答（Ａｃｋ）１２を受けて、ＡＰＳ切替先をリンクａ５にするための設定変更を行う（手順Ｔ９）。このようにして、新たな予備系が確立し、新たな予備系へのＡＰＳ切替が可能になる。
【００２４】
次に、現用パスが復旧した場合、ノード装置２では、往路の現用パス（現用ｂ）の復旧を検出すると（手順Ｔ１０）、往路の予備パス（予備ａ）での受信を解放する（手順Ｔ１１）。一方、ノード装置１は、Ｋ１バイトとＫ２バイトの切替指示に従い、復路の予備パス（予備ａ）での受信を解放し（手順Ｔ１２）、往路の予備パス（予備ａ）での送信を解放する（手順Ｔ１３）。そして、ノード装置２は、復路の予備パス（予備ａ）での送信を解放する（手順Ｔ１４）。このようにして切り戻しの動作が行われる。
【００２５】
その後、帯域を有効活用するため、リンクａ５の解放処理を行う。すなわち、ノード装置２は、ＡＰＳ切替先を予備パス（予備ａ）にすることを送信する（手順Ｔ１５）。ノード装置１は、応答（Ａｃｋ）１３を返すとともに、ＡＰＳ切替先を予備パス（予備ａ）にする設定変更を行う（手順Ｔ１６）。ノード装置２では、ノード装置１からの応答（Ａｃｋ）１３を受けて、ＡＰＳ切替先を予備パス（予備ａ）に設定変更する（手順Ｔ１７）。そして、ノード装置２では、リンクａ５を予備パスとして保持しておく必要がなくなるため、リンクａ５に対するパス解放要求を出し（手順Ｔ１８）、リンクａを解放する（手順Ｔ１９）。ノード装置１は、応答（Ａｃｋ）を返す（手順Ｔ１９）。このようにして、リンクａ５は、予備系から解放され、別のパスとして使用することが可能になる。
【００２６】
ここで、手順Ｔ６〜手順Ｔ９の新規予備系設定動作によって予備パスをリンクａ５にしているときに、新たに現用パスに障害が起きた場合は、そのパスを予備パス（リンクａ５）に切り替える。そして、冗長系を維持するため、シグナリングにより、さらに別の予備パスを確保する。
【００２７】
予備パスは、ノード装置１とノード装置２の間を直結している必要はなく、他のノード装置を中継して接続されていてもよい。図１では、ノード装置１と他のノード装置との間で接続されているリンクｂ６と、ノード装置２と他のノード装置との間で接続されているリンクｃ７を用いて予備パスを形成することができる。このとき、中継するノード装置では、ノード装置１とノード装置２との間でのＡＰＳ切替とするため、Ｋ１バイトとＫ２バイトは入力値をスルーして出力する。これらの解放処理は上記の手順で行われる。
【００２８】
以上のように、実施の形態１による障害復旧方式では、冗長構成内では扱えない新たな障害が発生した場合には、新たな回避先を確保するようにしたので、救済できないパスを減らすことができ、ＡＰＳ切替を用いた高速な障害復旧が可能になる。また、障害が復旧した場合は、確保したパスを解放するので、過剰な帯域を占有し続けることなく、高信頼なネットワークを構築することができる。
【００２９】
実施の形態２．
図３は、この発明の実施の形態２であるノード装置が実現する障害復旧方式で用いる冗長構成を備える光通信ネットワークの構成を示す図である。図３において、光通信ネットワーク内に在るノード装置１とノード装置２の間には、ｎ本の現用パス３と１本の予備パス４が張られている。
【００３０】
ここで、ノード装置１，２の構成は、図示省略したが、図３に示すように、障害救済のために設けられる冗長構成における複数パスの１つに出力先に切り替えることができ、かつその切替先を制御部等からの指示に従って変更できる冗長切替部を備えるノード装置であって、冗長切替部はＡＰＳ切替部であり、多入力多出力のマトリックススイッチを備えている。このマトリックススイッチは、複数のセレクタを組み合わせて構成することもでき、光信号のまま切替を行うことができる光スイッチで構成することもできる。
【００３１】
また、制御部は、ＡＰＳ切替部が切替実行する切替先の設定をパス設定状態に応じて変更し、かつパス毎に設定された切替先に変更できるようになっている。具体的には、制御部は、図３に示すように、パス設定状態が複数の現用系に対し１本の予備系が確保されている１：ｎ構成である場合において、ある現用系に障害が発生し、予備系が占有された場合に、ルーティングによりルート検索を行ってルートを確保し、その確保したルートにおいてシグナリングを実施し新たな帯域を確保して予備系を新規に割り当てるとともに、その新たな予備系をＡＰＳ切替部が切替実行する切替先に設定する。
【００３２】
そして、制御部は、障害が起きた現用系が復旧した場合に、切り戻しを行い、新たに確保した予備パスを開放して、元の予備系にＡＰＳ切替部が切替実行する切替先を変更することができるようになっている。
【００３３】
これによって、この実施の形態２では、次のような障害復旧方式が実現できる。すなわち、現用パス３に障害が起きたとき、予備パス４に現用パス３を回避させる。その結果、予備パス４が占有されてしまい、他の現用パス３に起きた障害は回避させることができない。この場合、実施の形態２では、例えば実施の形態１にて説明したように他に使用可能なリンクがないときに、ルーティングによりルート検索を行う。
【００３４】
そして、現用パス及び予備パス以外のルートで検索されたルート１１に対し、シグナリングにより帯域を確保する。このとき、ルート１１がすでに別のパスに使用されていたり、障害などのために、パスとして確立できない場合は、他のルート１２に対してシグナリングを行い、予備パスとして確立する。
【００３５】
このようにして検索されたルート１１，１２は、ノード装置１とノード装置２の間を直結している必要はなく、他の一台以上のノード装置１０を中継していても構わない。新たに確立された予備パスに対し、現用パスのＡＰＳ切替先となるような設定変更を行う。
【００３６】
そして、新たに現用パスに対して障害が発生した場合は、ルーティングにより検索し確立した予備パスにＡＰＳ切替を行う。先に障害が発生したパスが復旧した場合には、予備パスに切替えていたパスを切り戻す。そして、ＡＰＳ切替先も元に戻して、新たに確立した予備パスは解放する。
【００３７】
以上のように、実施の形態２による障害復旧方式では、障害発生時の予備パスを確保するためにルーティングを行うので、より確実に回避先を見つけることができる。
【００３８】
実施の形態３．
図４は、この発明の実施の形態３であるノード装置が実現する障害復旧方式で用いる冗長構成を備える光通信ネットワークの構成を示す図である。図４において、光通信ネットワーク内に在るノード装置１とノード装置２の間には、ｎ本の現用パス３と１本の予備パス４が張られている。ここでのノード装置１，２は、実施の形態１，２と同様の構成によって障害復旧方式を実現するが、この実施の形態３では、特に、現用パス３に障害が起きていないとき、予備パス４にエクストラトラフィック２０を通すことができるようになっている。
【００３９】
すなわち、実施の形態１，２にて説明した制御部は、現用パス３に障害が起きていない、つまり予備系が使用されていない場合に使用することができるエクストラトラフィックに対してＡＰＳ切替部を制御し、他に帯域があるときは回避先を確保してエクストラトラフィックを回避させ、その後に、現用系を予備系に切り替えさせることを行うようになっている。
【００４０】
これによって、この実施の形態３では、次のような障害復旧方式が実現できる。すなわち、現用パス３に障害が起きたときは、エクストラトラフィック２０は切断され、予備パス４は、障害が起きた現用パスに切り替わる。このため、通常、エクストラトラフィック２０は優先度の低いパスに流しておくことになる。
【００４１】
これに対し、この実施の形態３では、他に空き帯域があれば、エクストラトラフィックの回避先として回避パス２１を確保しておく。回避パス２１は、優先順位を最低にしておき、他のパス設定要求があった場合は解放できるようにする。例えば、回避パス２１と同じリンクを通るパス２２の設定要求があった場合は、回避パス２１は解放する。
【００４２】
エクストラトラフィック２０の回避先への切り替えにＡＰＳ切替を用いる。現用パス３に障害が起きたときは、まず、エクストラトラフィック２０を回避パス２１に切り替える。次に、現用パス３をエクストラトラフィック２０が流れていた予備パス４に切り替える。２段階の切り替えになるが、ＡＰＳ切替を用いているので、高速な切り替えが可能になる。同時に、エクストラトラフィック２０も救済することができる。そして、現用パス３が復帰した場合は、現用パス３の切り戻しを行い、回避させたエクストラトラフィック２０も元の予備パス４に切り戻す。
【００４３】
ここで、障害発生に備えてエクストラトラヒック２０の回避パス２１を確保するが、エクストラトラフィック２０のある／なしに関わらず、他のパス設定要求を優先させるので、ネットワーク全体の帯域効率を変えることはない。
【００４４】
以上のように、実施の形態３による障害復旧方式では、予備パスに流れるエクストラトラフィックを最大限の努力で救済することができるので、エクストラトラフィックの信頼性を向上させることができ、光パスなどの大容量信号を流すことが可能になる。
【００４５】
なお、実施の形態１〜３では、ＳＯＮＥＴ／ＳＤＨを用いたＡＰＳ切替を説明したが、デジタル多重化の方式は、ＳＯＮＥＴ／ＳＤＨに限らず、ＯＴＮ（Ｏｐｔｉｃａｌ  Ｔｒａｎｓｐｏｒｔ  Ｎｅｔｗｏｒｋ）でもよい。この場合は、ＡＰＳ切替は、オーバーヘッドバイトＡＰＳ／ＰＣＣ（Ａｕｔｏｍａｔｉｃ  Ｐｒｏｔｅｃｔｉｏｎ  Ｓｗｉｔｃｈｉｎｇ  ａｎｄ  Ｐｒｏｔｅｃｔｉｏｎ  Ｃｏｍｍｕｎｉｃａｔｉｏｎ  Ｃｈａｎｎｅｌ）を用いることになる。
【００４６】
【発明の効果】
以上説明したように、この発明によれば、冗長切替手段が切替実行する切替先の設定を、障害救済のために設けられる冗長構成における複数パスの設定状態に応じて変更し、かつパス毎に設定された切替先に変更することができる。具体的には、前記パス設定状態が複数の現用系に対し１本の予備系が確保されている１：ｎ構成である場合において、ある現用系に障害が発生し、予備系が占有された場合に、シグナリングにより新たな帯域を確保して予備系を新規に割り当てる、あるいは、ルーティングによりルート検索を行い確保したルートにおいてシグナリングを実施し新たな帯域を確保して予備系を新規に割り当てる。そして、その新たな予備系を前記冗長切替手段が切替実行する切替先に設定する。その後、障害が起きた現用系が復旧した場合には、切り戻しを行い、新たに確保した予備パスを開放して、元の予備系に前記冗長切替手段が切替実行する切替先を変更することができる。したがって、過剰な冗長構成を採ることなく救済できないパスが削減でき、高速な切り替えが実現できるノード装置を得ることができる。
【図面の簡単な説明】
【図１】この発明の実施の形態１であるノード装置が実現する障害復旧方式で用いる冗長構成を備える光通信ネットワークの構成を示す図である。
【図２】図１に示すノード装置が実現する障害復旧方式を説明する切替シーケンス図である。
【図３】この発明の実施の形態２であるノード装置が実現する障害復旧方式で用いる冗長構成を備える光通信ネットワークの構成を示す図である。
【図４】この発明の実施の形態３であるノード装置が実現する障害復旧方式で用いる冗長構成を備える光通信ネットワークの構成を示す図である。
【図５】従来のノード装置が実現していた障害復旧方式で用いる冗長構成を備える光通信ネットワークの構成を示す図である。
【符号の説明】
１，２  ノード装置、３  現用パス、４  予備パス、５，６，７  パスとして使用されていない帯域のリンク、１１，１２  検索ルート、２０  エクストラトラフィック、２１  回避パス。
【図１】
2005012306.tif 000003
【図２】
2005012306.tif 000004
【図３】
2005012306.tif 000005
【図４】
2005012306.tif 000006
【図５】
2005012306.tif 000007